(57)【要約】      （修正有）【課題】収容効率が良く、製造コストが廉価で、取り扱い安定性に優れ、販売促進アピールに活用でき、カップと同じリサイクル分別ができるカップ用の蓋を提供する。【解決手段】カップ用の蓋１は、上端部にカール部ＣＣを有するカップＣ用の蓋であり、柔軟な材質の平面形状の薄板で形成されている。そして、カール部ＣＣを支承する係合形状を有する４箇所の円弧状のカール部係合用スリット２と、このカール部係合用スリット２の外方側でこの蓋１をカップＣに着脱するためのタブ３と、を設けている。また、このタブ３を捲り上げたときにタブ３を挿入するタブ係合用スリット４をこの蓋１の中央部でタブ３と対向する位置に各々設けている。【選択図】図２
0003156720.tif 000002
【実用新案登録請求の範囲】
【請求項１】
上端部にカール部を有するカップ用の蓋であって、
柔軟な材質の平面形状の薄板に、前記カール部を支承する係合形状を有する複数のカール部係合用スリットと、該カール部係合用スリットの外方に形成されるタブとを、設けたことを特徴とするカップ用の蓋。
【請求項２】
この蓋の中央部で前記タブと対向する位置にスリットを設けたことを特徴とする請求項１に記載のカップ用の蓋。
【考案の詳細な説明】
【技術分野】
【０００１】
本考案は、カップ式自動販売機や飲料ディスペンサ等で用いられている、上端部にカール部を有するカップ用の蓋に関する。
【背景技術】
【０００２】
カップ式自動販売機や飲料ディスペンサ等で提供されるコーヒー飲料や清涼飲料の容器として、上端部にカール部を有するカップが使用されている。このようにカップ式自動販売機や飲料ディスペンサ等で提供された飲料が入っているカップを持ち運びする際にはカップから飲料がこぼれないようにカップの上端部のカール部に嵌め込む蓋が用いられている（例えば、特許文献１参照）。
【先行技術文献】
【特許文献】
【０００３】
【特許文献１】特開２００７−１２６１７４号公報
【考案の概要】
【考案が解決しようとする課題】
【０００４】
しかしながら、このような立体形状の蓋は収容効率が悪く、製造コストが高価であり、カップ開口を封止する機能は必要にして十分であるが、着脱に力を必要とするので着脱時の取り扱い安定性（飲料こぼれ等）に欠けていた。また、立体形状であるために印刷を施すことが難しく、販売促進アピール等に有効に活用できるスペースがなく、さらに、プラスチック素材が使用されているためにカップとは異なるリサイクル分別を必要する等の課題があった。
【０００５】
本考案は、上記実情に鑑みて、収容効率が良く、製造コストが廉価で、取り扱い安定性に優れ、販売促進アピールに活用でき、カップと同じリサイクル分別ができるカップ用の蓋を提供することを目的とする。
【課題を解決するための手段】
【０００６】
請求項１記載の考案は、上端部にカール部を有するカップ用の蓋であって、柔軟な材質の平面形状の薄板に、前記カール部を支承する係合形状を有する複数のカール部係合用スリットと、該カール部係合用スリットの外方に形成されるタブとを、設けたことを特徴とするカップ用の蓋である。
【０００７】
請求項２記載の考案は、この蓋の中央部で前記タブと対向する位置にスリットを設けたことを特徴とする請求項１に記載のカップ用の蓋である。
【考案の効果】
【０００８】
本考案によれば、柔軟な材質の平面形状の薄板に、前記カール部を支承する係合形状を有する複数のカール部係合用スリットと、該カール部係合用スリットの外方に形成されるタブとを、設けている。
【０００９】
また、この蓋の中央部で前記タブと対向する位置にスリットを設けている。
このように構成しているので、収容効率が良く、製造コストが廉価で、取り扱い安定性に優れ、販売促進アピールに活用でき、カップと同じリサイクル分別ができるカップ用の蓋を提供することができる。
【図面の簡単な説明】
【００１０】
【図１】本考案の実施の形態であるカップ用の蓋の概略図で、（ａ）上面図、（ｂ）側面図である。
【図２】図１に示したこの蓋をカップに取り付けた鳥瞰図である。
【図３】図２の線Ａ−Ａに沿う、この蓋をカップに取り付けるときの断面側面図である。
【図４】図２の線Ａ−Ａに沿う、この蓋をカップに取り付けた状態の断面側面図である。
【図５】図２の線Ａ−Ａに沿う、この蓋をカップから取り外すときの断面側面図である。
【図６】タブをタブ係合用スリットに挿入した断面側面図である。
【図７】図６に示したタブをタブ係合用スリットに挿入した鳥瞰図である。
【考案を実施するための形態】
【００１１】
以下に添付図面を参照して、本考案に係るカップ用の蓋の実施の形態について詳細に説明する。
図１〜図５に示すように、カップ用の蓋１は、上端部にカール部ＣＣを有するカップＣ用の蓋であり、柔軟な材質の平面形状の薄板（例えば、厚み０．０５ｍｍ〜０．５ｍｍの紙）で形成され、カップＣの開口部よりも大きい形状となっている。そして、蓋１には、カール部ＣＣに対向する位置にこのカール部ＣＣを支承する係合形状を有する４箇所の円弧状のカール部係合用スリット２が形成されるとともに、この各カール部係合用スリット２の外方側には外周方向に突出するタブ３が蓋本体と一体に形成されている。また、このタブ３を捲り上げたときにタブ３を挿入するタブ係合用スリット（スリット）４をこの蓋１の中央部でタブ３と対向する位置に各々設けている。このカール部係合用スリット２は支承するカール部ＣＣの内寸法より若干大きい寸法に合致させている。また、カール部係合用スリット２およびタブ係合用スリット４のスリット幅は略０．５ｍｍで、形成可能な範囲で幅が狭い方が、カール部係合用スリット２でカール部ＣＣを支承したとき、また、タブ係合用スリット４にタブ３を挿入したときのタブ３の抜け防止に適している。
【００１２】
そして、この蓋１をカップＣに取り付けるには、図３に示すように、カップＣの開口に蓋１を載置してから、タブ３を矢印Ｂで示す方向に押し下げることでタブ３がカール部ＣＣの下側に潜り込み、タブ３を押し下げる力を解放することで図２および図４で示すように、蓋１のカール部係合用スリット２でカール部ＣＣを支承し、蓋１をカップＣに取り付けた状態とすることができる。
【００１３】
次に、蓋１をカップＣから取り外すには、図５に示すように、タブ３を矢印Ｄで示す方向に押し上げることでタブ３がカール部ＣＣから容易に外れるので、大きな力を必要とすることなく簡単に蓋１をカップＣから取り外すことができる。
【００１４】
さらに、カップＣに蓋１を取り付けた状態で飲料を飲むときには、図６、図７に示すように、タブ３をタブ係合用スリット４に挿入することで、カップＣ開口の一部を開口することができ、カップＣ内の飲料を容易に飲むことができるようになる。
【００１５】
このように、上端部にカール部ＣＣを有するカップＣ用の蓋１は、柔軟な材質の平面形状の薄板に、カール部ＣＣに対向する位置にカール部ＣＣを支承する係合形状を有する複数の円弧状のカール部係合用スリット２と、この各カール部係合用スリット２の外方側には外周方向に突出する形状でこの蓋１をカップＣに着脱するためのタブ３とが蓋本体と一体に形成されているので、紙等の平面形状の薄板で製造することで、収容効率が良くなり、製造コストが廉価で、蓋１の着脱に特別な力を必要とせず、着脱時の取り扱い安定性に優れている。また、紙等の平面形状の薄板面には簡単に印刷を施すことができるので、販売促進アピール等に有効に活用することができる。さらに、カップＣと同じ材質で蓋１を製造することが可能となるので、カップＣと同じリサイクル分別とすることができる。このカップＣから取り外した蓋１はカップＣのコースターとして使用することもできる。
【００１６】
さらに、この蓋１の中央部でタブ３と対向する位置に、このタブ３を捲り上げたときにタブ３を挿入するタブ係合用スリット４を設けたので、カップＣに蓋１を取り付けた状態で飲料を飲むときには、タブ３をタブ係合用スリット４に挿入することで、カップＣ開口の一部を開口することができ、カップＣ内の飲料を容易に飲むことができるようになる。また、タブ係合用スリット４は、カップＣの内圧調整の機能も有している。
【００１７】
なお、柔軟な材質の平面形状の薄板としては、紙を使用して形成する他に、不織布等で形成するようにしてもよい。また、カール部ＣＣを支承する係合形状を有するカール部係合用スリット２と、カール部係合用スリット２の外方側でこの蓋１をカップＣに着脱するためのタブ３とを４対設けた実施例で説明しているが、カール部係合用スリット２とタブ３とを２対設けるようにしてもよい。
【符号の説明】
【００１８】
１      カップ用の蓋
２      カール部係合用スリット
３      タブ
４      タブ係合用スリット（スリット）
Ｃ      カップ
ＣＣ      カール部
【図１】
0003156720.tif 000003
【図２】
0003156720.tif 000004
【図３】
0003156720.tif 000005
【図４】
0003156720.tif 000006
【図５】
0003156720.tif 000007
【図６】
0003156720.tif 000008
【図７】
0003156720.tif 000009